(57)【要約】【課題】  構造が簡易でかつ組み立てが容易である安全注射器を提供すること。【解決手段】  本体とニードルソケットを具備し、前記本体と前記ニードルソケットを収容する空間が画成される中空体である外筒と、前記ニードルソケット内に設けられる中空管状体であり、拡開可能な第１の固定部と拡開不可能な第２の固定部を具備する固定支持部と、当接部と、を具備し、前記固定支持部の中空管状体内に設けられ、前記第２の固定部に当接する金属ニードルと、磁性部材が設けられ、引き抜きにより磁性部材が前記金属ニードルを引き付け、前記固定支持部に設けられる金属ニードルを前記外筒内に後退させるプランジャーと、を備える。【選択図】  図１
2006305302.tif 000002
【特許請求の範囲】
【請求項１】
安全注射器であって、
本体及びニードルソケットを具備し、前記本体と前記ニードルソケットが中空体であり、前記中空体が、前記本体に画成される第１の収容空間及び前記ニードルソケットに画成される第２、第３の収容空間を備え、前記第３の収容空間が前記第２の収容空間より外向きに拡げられる外筒と、
前記ニードルソケット内に置かれる中空管状体であり、第１の固定部と第２の固定部を具備し、前記第１の固定部が拡開できる構成である固定支持部と、
当接部を具備し、前記固定支持部の前記中空管状体内に置かれ、前記当接部によって前記固定支持部の前記第２の固定部に当接する金属ニードルと、
前記外筒の中に置かれ、先端に磁性部材が設けられ、引き抜きにより磁性部材が前記金属ニードルを引き付け、前記金属ニードルを前記外筒内に後退させるプランジャーと、
を備えることを特徴とする安全注射器。
【請求項２】
前記外筒の後端には、外向きに延伸する止めピースが形成されることを特徴とする、請求項１に記載の安全注射器。
【請求項３】
前記第２の収容空間と前記第３の収容空間との間に傾斜構造体が設けられ、
前記傾斜構造体を介して前記第３の収容空間が前記第２の収容空間より外向きに拡張し、
前記固定支持部の第１の固定部が前記傾斜構造体によって前記ニードルソケットの第３の収容空間に導入されて拡開状態となることを特徴とする、請求項１に記載の安全注射器。
【請求項４】
前記第１の固定部と前記第２の固定部との間に傾斜構造体が設けられることで、前記固定支持部の第１の固定部が前記ニードルソケットの第３の収容空間に入り易い拡開状態となることを特徴とする、請求項１に記載の安全注射器。
【請求項５】
前記固定支持部の第２の固定部が前記外筒本体内における第１の収容空間に僅かに突入することで、前記プランジャーが前記固定支持部を押圧する場合、前記固定支持部の第１の固定部が前記ニードルソケット内における第３の収容空間に入り易い拡開状態となることを特徴とする、請求項１に記載の安全注射器。
【請求項６】
前記ニードルソケットに収容される前記固定支持部を押圧し易くするように、前記プランジャー端に突部が設けられ、
前記固定支持部の第１の固定部が前記ニードルソケット内における第３の収容空間に入り易い拡開状態となることを特徴とする、請求項１に記載の安全注射器。
【請求項７】
前記第２の固定部の底端に凹溝が形成され、
前記凹溝には前記金属ニードルの当接部が当接して前記金属ニードルが前へ摺動しないようにすることを特徴とする、請求項１に記載の安全注射器。
【請求項８】
前記金属ニードルが前記当接部と一体形成されることを特徴とする、請求項１に記載の安全注射器。
【請求項９】
前記プランジャーの先端に軟プラグが設けられ、
前記軟プラグ内に収容空間が画成され、
前記収容空間に磁性部材が収容されることを特徴とする、請求項１に記載の安全注射器。
【請求項１０】
前記プランジャーは、
注型法によって先に前記プランジャーの先端に磁性材質である磁性材料が注型され、
次いで、前記プランジャー本体の箇所にプラスチック材料が注型されることにより、前記磁性部材を具備するプランジャーを形成するように構成することを特徴とする、請求項１に記載の安全注射器。
【請求項１１】
弾性部材を更に具備し、前記弾性部材が前記外筒の第１の収容空間の開口に設けられることを特徴とする、請求項１に記載の安全注射器。
【請求項１２】
弾性部材を更に具備し、前記弾性部材が前記止めピースの上に設けられることを特徴とする、請求項２に記載の安全注射器。
【請求項１３】
前記プランジャーの軸線方向に沿って設けられる複数のフックを更に備えることを特徴とする、請求項１に記載の安全注射器。
【請求項１４】
前記複数のフックの分布は、注射時の注射剤量の目盛りに基づいて配列されることを特徴とする、請求項１３に記載の安全注射器。
【請求項１５】
前記フックは、その先端が前記プランジャーの先端に向って傾斜状態となり、
前記プランジャーが前記外筒の開口位置に移動する場合、前記弾性部材に引っ掛けられるが、前記プランジャーの動作への妨害となることはなく、
逆に前記プランジャーが前記外筒開口から離れる方向に移動する場合、前記プランジャーが前記フックによって前記弾性部材に引っ掛けられるように構成されることを特徴とする、請求項１３に記載の安全注射器。
【請求項１６】
前記外筒の第１の収容空間の開口に設けられる弾性部材と、
前記プランジャーの軸線方向に沿って設けられ、前記弾性部材を引っ掛けることによって、前記プランジャーの押圧により、前記弾性部材に弾力を生じさせ、前記プランジャーが緩められる場合、前記弾性部材の弾性回復力によって前記プランジャーが反対方向に移動するとともに、前記プランジャーの磁性部材が前記金属ニードルを引き付けて前記金属ニードルが外筒内に後退する、複数のフックと、
を更に備えることを特徴とする、請求項１に記載の安全注射器。
【請求項１７】
前記金属ニードルの外径を前記固定支持部の中空管状体の内径より大きくし、
前記固定支持部の第１の固定部の外径を前記第２の固定部から傾斜構造に沿って外向きに延伸させ、
前記第１の固定部の外径を前記ニードルソケットの第２の収容空間の内径より大きくし、
前記第２の固定部の外径を前記ニードルソケットの第２の収容空間の内径より小さくすることにより、前記固定支持部が前記第１の固定部によって前記ニードルソケットの第２の収容空間に緊密に収容され、前記第１の固定部が外力の押圧で閉合状態となり、
前記固定支持部及び外筒に塑性プラスチック材料を使用することにより、前記金属ニードルが前記ニードルソケットにおける第２の収容空間に収容される固定支持部に挟持されることを特徴とする、請求項１に記載の安全注射器。
【請求項１８】
所定の注射剤量の注射剤を前記金属ニードルを介して前記外筒内に収容する段階と、
前記プランジャーの押圧により、前記プランジャーの磁性部材を具備する先端が前記注射剤を押し出して注射する段階と、
前記固定支持部の第１の固定部が前記第３の収容空間に入り、拡開状態となり、前記金属ニードルを緩める段階と、
前記プランジャーの磁性部材が前記金属ニードルを引き付け、前記プランジャーの引き抜きにより前記金属ニードルを前記外筒内に後退させる段階と、
を備えることを特徴とする、請求項１に記載の安全注射器の操作方法。
【請求項１９】
前記外筒の後端には、外向きに延伸する止めピースが形成されることを特徴とする、請求項１８に記載の安全注射器の操作方法。
【請求項２０】
前記安全注射器は、
前記外筒の第１の収容空間の開口に設けられる弾性部材と、
前記プランジャーの軸線方向に沿って設けられ、前記弾性部材を引っ掛けることで、前記プランジャーが押圧される際に、前記弾性部材に弾力を生じさせ、前記プランジャーを緩める際に、前記弾性部材の弾性回復力によって前記プランジャーを反対方向に移動させるとともに、前記プランジャーの磁性部材が前記金属ニードルを引き付け、前記金属ニードルを外筒内に後退させる、複数のフックと、
を更に備えることを特徴とする、請求項１８に記載の安全注射器の操作方法。
【請求項２１】
前記複数のフックの分布は、注射時の注射剤量の目盛りに基づいて配列されることを特徴とする、請求項２０に記載の安全注射器の操作方法。
【請求項２２】
前記フックは、その先端が前記プランジャーの先端に向って傾斜状態となり、前記プランジャーが前記外筒の開口位置に移動する場合、前記弾性部材に引っ掛けられ前記プランジャーの動作への妨害となることはなく、
逆に前記プランジャーが前記外筒開口から離れる方向に移動する場合、前記プランジャーが前記フックによって前記弾性部材に引っ掛けられるように構成されることを特徴とする、請求項２０に記載の安全注射器の操作方法。
【請求項２３】
前記金属ニードルの外径を前記固定支持部の中空管状体の内径より大きくし、
前記固定支持部の第１の固定部の外径を前記第２の固定部より傾斜構造体に沿って外向きに延伸させ、
前記第１の固定部の外径を前記ニードルソケットの第２の収容空間の内径より大きくし、
前記第２の固定部の外径を前記ニードルソケットの第２の収容空間の内径より小さくすることにより、
前記固定支持部は前記第１の固定部によって前記ニードルソケットの第２の収容空間に緊密に収容されて前記第１の固定部が外力の押圧で閉合状態となり、
前記固定支持部及び外筒に塑性プラスチック材料を使用することにより、前記金属ニードルが前記ニードルソケットにおける第２の収容空間に収容される固定支持部に挟持されることを特徴とする、請求項１８に記載の安全注射器の操作方法。
【発明の詳細な説明】
【技術分野】
【０００１】
本発明は、安全注射器及びその操作方法に関し、特に注射器のニードルが自動的に外筒内に後退する（回収される）安全注射器及びその操作方法に関するものである。
【背景技術】
【０００２】
医療過程において、薬物を患者の身体に注射し、病気を治すことはよく見られる医療行為である。しかし、この医療の過程において、常に医療関係者が不注意で注射ニードルに刺されて感染することがある。それゆえに、医療関係者や廃棄物処理者が感染性のあるニードルに刺されないように、そのニードルを慎重に取り扱わなければならない。
【０００３】
従来技術文献には伸縮引きフックを具備する後退式安全注射器が開示されている（例えば、特許文献１参照）。この安全注射器は外筒、ニードル及びプランジャーを備え、このプランジャーが軟プラグ、押圧桿本体、及び軟プラグと押圧桿本体とを分離可能に接続する引きフック部材からなり、この引きフック部材は、引きフックが軟プラグの前端に形成され、戻し防止係合構造を介して注射剤が吸い取られる過程に形成される負圧及びプランジャーに与えられる引き力を利用して、前記引きフック部材及び前記押圧桿本体を互いに分離させる方向に従って所定距離のみ移動させることで、前記軟プラグと前記押圧桿本体が分離し、注射過程にプランジャーへの押圧力及び軟プラグと外筒内壁周縁との摩擦力により、前記軟プラグと前記押圧桿本体が互いに接合するように回復し、一部の引きフック部材が前記軟プラグの前端に突出することで、前記軟プラグが外筒前端の内部に当接する場合、前記引きフック部材とニードルが結合し、この場合プランジャーを後へ引くことにより、ニードルを外筒の収容空間に後退させることができる。
【特許文献１】中華民国特許第Ｍ２４９６７３号明細書
【０００４】
しかしながら、上記の従来の伸縮引きフックを具備する後退式安全注射器は、ニードルを外筒内に後退させ、医療関係者が外筒の使用過程に針の突き刺しによる感染の意外を回避することができるが、このような伸縮引きフックを具備する後退式安全注射器は、その構成部材が煩雑であり、組立が容易ではなく、ニードルが外筒内に自動的に後退することができない。
【０００５】
従って、構成部材が簡易であり、組立が容易でかつニードルを自動的に外筒内に後退させることができる安全注射器の製作は、まさに解決すべき課題である。
【発明の開示】
【発明が解決しようとする課題】
【０００６】
そこで、以上の事情に鑑み、本発明は、金属ニードルを外筒内に後退可能な安全注射器を提供することを目的とする。プランジャーに磁性部材が設けられ、プランジャーの引き抜きにより、磁性部材が金属ニードルを引き付けることで、金属ニードルが外筒内に後退し、環境への汚染や医療関係者への感染を回避する。
【０００７】
また、本発明は、金属ニードルが自動的に外筒内に後退可能な安全注射器を提供することを目的とする。プランジャーに磁性部材とフックが設けられ、外筒に弾性部材が設けられ、前記プランジャーのフックは前記弾性部材を引っ掛けることにより、前記弾性部材による弾力で、プランジャーが緩められる場合、弾性回復力が生じ、前記プランジャーの磁性部材が金属ニードルを引き付け、金属ニードルが自動的に前記外筒内に後退し、使用上の安全性や医療関係者への保護機能を向上させ、医療関係者が注射器の金属ニードルに突き刺され、危険が生じることを回避できる。
【０００８】
また、本発明は、構造が簡易でかつ組立が容易である安全注射器を提供することを目的とする。医療関係者が治療注射を終了した後、汚染された注射器の金属ニードルに突き刺さることなく、感染される危険を回避し、更なる実用性や安全性を向上することで、使用上の安全性を確保する。
【課題を解決するための手段】
【０００９】
上記の目的を図るために、本発明に係る安全注射器は、本体及びニードルソケットを具備し、前記本体と前記ニードルソケットが中空体であり、前記中空体が前記本体に画成される第１の収容空間及び前記ニードルソケットに画成される第２と第３の収容空間を備え、前記第３の収容空間が前記第２の収容空間より外向きに拡げられる外筒と、前記ニードルソケット内に置かれる中空管状体であり、第１の固定部と第２の固定部を具備し、前記第１の固定部が拡開できる構成である固定支持部と、当接部を具備し、前記固定支持部の中空管状体内に置かれ、前記当接部によって前記固定支持部の第２の固定部に当接する金属ニードルと、先端に磁性部材が設けられ、引き抜きにより前記磁性部材が前記金属ニードルを引き付け、前記固定支持部に設けられる金属ニードルを前記外筒内に後退させるプランジャーと、を備える。
【００１０】
また、前記外筒の後端には外向きに延伸する止めピースが形成され、前記止めピースには弾性部材が設けられ、前記プランジャーの軸線方向位置には複数のフックが設けられ、注射を行う場合、前記フックが前記弾性部材を引っ掛けることにより、前記プランジャーを押圧することにより、前記弾性部材に弾力を生じさせ、プランジャーを緩める場合、弾性回復力により、プランジャーが反対方向に移動すると共に、前記プランジャーの磁性部材が前記金属ニードルを引き付け、前記金属ニードルが外筒内に後退する。
【００１１】
上記の目的及びその他の目的を達成するために、本発明に係る安全注射器の操作方法は、所定の注射剤量の注射剤を前記金属ニードルを介して前記外筒内に収容する段階と、前記プランジャーの押圧により、前記プランジャーの磁性部材を具備する先端が注射剤を押し出して注射する段階と、前記固定支持部の第１の固定部が前記第２の収容空間より前記第３の収容空間に入って拡開状態となり、前記金属ニードルを緩める段階と、前記プランジャーの磁性部材が前記金属ニードルを引き付け、前記プランジャーの引き抜きにより前記金属ニードルを前記外筒内に後退させる段階と、を備える。
【００１２】
また、前記プランジャーの軸線方向に及び前記外筒にそれぞれ複数のフック及び弾性部材が設けられる場合に関し、本発明の安全注射器の操作方法は、前記プランジャーのフックが前記外筒の弾性部材を引っ掛ける段階と、前記プランジャーの押圧で注射されることで、前記弾性部材が前記プランジャーに対して弾力を生じさせて、前記固定支持部の第１の固定部が前記第２の収容空間より前記第３の収容空間に入って拡開状態となり、前記金属ニードルが緩められる状態となるようにする段階と、前記弾性部材を緩めることで弾性回復力を生じさせ、前記プランジャーを前記第１の収容空間より離れる方向に引っぱり戻す段階と、前記プランジャーの磁性部材が前記金属ニードルを引き抜き方向に移動させるように引き付け、前記金属ニードルを前記外筒内に後退させる段階と、を備える。
【００１３】
本発明に係る安全注射器及びその操作方法によれば、従来のように構成が煩雑であり、組み立てが容易ではなくかつニードルを自動的に外筒に後退させることができないという問題を効果的に解決するとともに、医療関係者が治療のために注射を行う場合、汚染された注射器のニードルに突き刺され病源菌に感染する危険から保護する。
【発明を実施するための最良の形態】
【００１４】
以下、本発明を実施の形態に基づいてさらに詳細に説明するが、本発明はこれらの実施形態に限定されるものではなく、本発明の技術思想の範囲内で数々の変更態様が可能であることは言うまでもない。
【００１５】
図１は、本発明に係る安全注射器の分解立体図を示す。本発明に係る安全注射器１は、外筒本体１１とニードルソケット１２を具備する外筒１０と、第１の固定部２１と第２の固定部２２を具備する固定支持部２０と、当接部３１を具備する金属ニードル３０と、軟プラグ４１、磁性部材４２及びプランジャー本体４３を具備するプランジャー４０と、を備える。
【００１６】
次に、図１を参照しながら図２を説明する。図２は、本発明に係る安全注射器の組立体の図を示す。この外筒１０の後端両側ではそれぞれ止めピース１３が外向きに延伸し、この止めピース１３が、例えば、およそ楕円形となり、前記外筒本体１１が中空体となり、この中空体が第１の収容空間１４として画成され、この外筒本体１１の第１の収容空間１４はプランジャー４０の収容用として用いられる。
【００１７】
ニードルソケット１２も外筒本体に連通する中空体であり、このニードルソケットの中空体が外筒本体に対して第２の収容空間１５及び第３の収容空間１６が順に画成され、前記第３の収容空間１６が第２の収容空間１５より外向きに拡張することで、第３の収容空間１６の内径は第２の収容空間１５の内径より大きくなる。前記ニードルソケット１２の第２の収容空間１５及び第３の収容空間１６を固定支持部２０の収容用として使用し、前記第２の収容空間１５と第３の収容空間１６との間に傾斜構造体１７が設けられ、この傾斜構造体１７によって第３の収容空間１６を第２の収容空間１５より大きくすることで、前記ニードルソケット１２内に上が広く下が狭い形状として画成し、この傾斜構造体１７は前記固定支持部２０の第１の固定部２１を導引し、前記外筒１０のニードルソケット１２内における第３の収容空間１６に入る。
【００１８】
前記固定支持部２０は中空管状体であり、この中空管状体に前記金属ニードル３０が収容され、前記固定支持部２０の第１の固定部２１が外力作用を受けずに自然状態において拡開される構成であり、前記第１の固定部２１と第２の固定部２２との間に傾斜構造体２３が設けられ、前記固定支持部の第１の固定部２１の外径を第２の固定部２２より傾斜構造２３に沿って外向きに延伸させ、さらに前記第１の固定部２１の外径を前記ニードルソケット１２の第２の収容空間１５の内径より大きくし、前記第２の固定部２２の外径を前記ニードルソケット１２の第２の収容空間１５の内径より小さくすることによって、前記固定支持部２０が第１の固定部２１により前記ニードルソケット１２内における第２の収容空間１５に緊密に収容され、前記第１の固定部２１が外力の押圧によって閉合状態となる。また、前記固定支持部２０の傾斜構造体２３は、前記第２の収容空間１５及び第３の収容空間１６の傾斜構造体１７に合わせて、前記固定支持部２０の第１の固定部２１が押圧される場合、第３の収容空間１６に入り易く、前記第３の収容空間１６の内径を前記第１の固定部２１の外径より大きくすることで、第１の固定部２１が第３の収容空間１６に入る場合、外力の押圧を受けずに拡開状態となる。また、前記金属ニードル３０の外径が前記固定支持部２０の中空管状体の内径より僅かに大きく、前記固定支持部２０及び外筒１０に塑性プラスチック材料を用いて良く、前記金属ニードル３０が前記ニードルソケット１２内における前記固定支持部２０に緊密に挟まれるとともに、注射剤が前記固定支持部２０内または前記固定支持部２０とニードルソケット１２との間に浸入することを回避することができる。
【００１９】
前記固定支持部２０の第２の固定部２２の底端には凹溝２４が形成され、この凹溝２４には前記金属ニードル３０の当接部３１が当接し、前記金属ニードル３０が前へ摺動しないようにする。また、前記第２の固定部２２がやや前記外筒本体１１内における第１の収容空間１４に突入することで、注射の場合プランジャー４０が前記固定支持部２０を押圧し、前記固定支持部２０が前進して、前記第１の固定部２１がニードルソケット１２内における第３の収容空間１６に入って拡開状態となる。
【００２０】
前記プランジャー４０の先端に軟プラグ４１が設けられ、この軟プラグ４１内に収容空間４５が画成され、前記収容空間４５には前記磁性部材４２が収容され、前記プランジャー本体４３は軸線方向に十字軸をなすリブ形状をしているが、これに限定されるものではない。また、前記プランジャー４０の先端における軟プラグ４１が微小突部４４として形成され、前記ニードルソケット１２の第２の収容空間１５に挟持される固定支持部２０を有効に押圧するように構成してもよい。
【００２１】
また、本発明に係る安全注射器は、さらに前記ニードルソケット１２に結合され、前記金属ニードル３０を被覆するためのキャップ５０を備えてもよい。
【００２２】
好ましい実施形態では、前記金属ニードル３０が前記当接部３１と一体形成され、または前記金属ニードル３０の末端が一体形成される当接部３１が外向きに延伸してもよい。前記プランジャー４０の構成は、注型によって磁性材質である軟プラグ４１を予め成形し、そしてプラスチック材質を注型しプランジャー本体４３を成形し、本発明に係る磁性部材を具備するプランジャー４０を完成させてもよい。
【００２３】
図３は、本発明に係る安全注射器の組立断面を示す。本発明に係る安全注射器１では、前記金属ニードル３０が前記固定支持部２０の後端を介して前記固定支持部２０の中空管状体内に収容され、この場合、前記金属ニードル３０の当接部３１によって固定支持部２０の凹溝２４内に当接し、前記金属ニードル３０が前へ摺動しないように固定支持部２０内に設けられ、前記固定支持部２０が前記ニードルソケット１２の第２の収容空間１５内に設けられ、前記固定支持部２０の後端が前記外筒本体１１内に突出し、この場合拡開状態であるべきであった固定支持部２０の第１の固定部２１は前記ニードルソケット１２の第２の収容空間１５内に設けられるため、固定支持部２０の第１の固定部２１は前記ニードルソケット１２内に緊密且つ確実にニードルソケット１２内に結合し、かつ、この場合前記金属ニードル３０も前記固定支持部２０内に摺動しないように堅固に設けられる。前記磁性部材４２は、軟プラグ４１内に設けられ前記プランジャー本体４３に結合し、この組立後の前記プランジャー４０は外筒本体１１の後端を介して前記第１の収容空間１４内に嵌挿される。
【００２４】
図４は、本発明に係る安全注射器が注射剤を吸い取る場合の断面図を示す。本発明に係る安全注射器１が注射剤６０を吸い取る場合、まず前記プランジャー４０を前記第１の収容空間１４から離れる方向へ引き抜くことで、前記外筒１０内が負圧となり、吸い取られた注射剤６０が外筒１０内に吸い込まれ、この場合前記固定支持部２０が前記ニードルソケット１２の第２の収容空間１５内に置かれ、前記金属ニードル３０が前記固定支持部２０の挟持により固定支持部２０の上に確実に置かれる。注射剤６０が入っていた外筒１０で注射を行う場合、前記プランジャー４０を、注射が終了するまで徐々に押し出すことで、前記プランジャー４０がちょうど前記固定支持部２０の底端に押圧され、注射の操作が終了し、この場合前記固定支持部２０が前記ニードルソケット１２の第２の収容空間１５内に確保され、前記金属ニードル３０が前記固定支持部２０の挟持により前記固定支持部２０の上に確実に固定される。
【００２５】
図５Ａ及び図５Ｂは、本発明に係る安全注射器が金属ニードルを安全に後退させる断面図を示す。注射が終了した後、注射者が不注意で注射ニードルに感染することを回避するように、まずちょうど前記固定支持部２０の底端に当接するプランジャー４０に力が付与され前へ押圧され、この場合前記固定支持部２０がプランジャー４０の微小突部４４によって押進され、前記固定支持部２０の第１の固定部２１を空間の大きい第３の収容空間１６に押圧することで、前記第１の固定部２１が拡開状態となり、この場合前記金属ニードル３０が第１の固定部２１の拡開で緩められる状態となり、この場合、また前記プランジャー４０の引き抜きにより、前記プランジャー４０の磁性部材４２が前記金属ニードル３０を引き付けて引き抜き方向へ移動して、前記金属ニードル３０を前記外筒１０内に後退させ、安全に注射をできるようにする。
【００２６】
また、ここでは、注射の場合、プランジャー４０の押圧力があまりにも大きく、前記固定支持部２０の第１の固定部２１が空間の大きい第３の収容空間１６に押圧されるため、前記第１の固定部２１が拡開状態となり、この場合前記金属ニードル３０が前記第１の固定部２１の拡開で緩められる状態となるが、前記金属ニードル３０の底端には当接部３１が設けられるため、金属ニードル３０がこの当接部３１によって前記固定支持部２０の第２の固定部２２の上に確実に当接することができる。従って、被注射者から前記安全注射器を抜き取る場合、金属ニードル３０が被注射者内に残ることはない。同時に、前記金属ニードル３０がプランジャー４０の引き抜き方向に対して係止作用がないため、前記プランジャー４０の磁性部材４２の前記金属ニードル３０を引き付けることによって、前記金属ニードル３０がプランジャー４０の引き抜き方向に移動し、さらに外筒１０内に後退し、安全に注射をすることができるといった効果を奏する。
【００２７】
図６は、本発明に係る他の実施形態の安全注射器の断面図を示す。ここでは、本発明の説明がよりわかりやすくなるように、前記実施形態と同一又は類似した部材には同一又は類似した参照符号を付し、構成が同一な部分の詳細説明を省略する。
【００２８】
本発明に係る安全注射器は、外筒本体１１と、ニードルソケット１２と、を具備し、後端に弾性部材１８が設けられる外筒１０と、第１の固定部２１と第２の固定部２２を具備する固定支持部２０と、当接部３１を具備する金属ニードル３０と、軟プラグ４１、磁性部材４２及びプランジャー本体４３を具備し、前記プランジャー本体の軸線方向に複数のフック４６が設けられるプランジャー４０と、を備える。
【００２９】
この外筒１０の後端両側にはそれぞれ止めピース１３が外向きに延伸し、この止めピース１３に弾性部材１８が設けられ、外筒本体１１が中空体となり、この中空体が第１の収容空間１４として画成され、この外筒本体１１の第１の収容空間１４はプランジャー４０の収容用として用いられる。
【００３０】
前記ニードルソケット１２も中空体であり、中空体には第２の収容空間１５及び第３の収容空間１６が画成され、第２の収容空間１５及び第３の収容空間１６が固定支持部２０の収容用として用いられ、前記第２の収容空間１５と第３の収容空間１６との間に傾斜構造体１７が設けられ、この傾斜構造体１７によって第３の収容空間１６を第２の収容空間１５より大きくすることで、前記ニードルソケット１２内に上が広く下が狭い形状として画成される。
【００３１】
前記固定支持部２０は中空管状体であり、この中空管状体に金属ニードル３０が収容され、前記第１の固定部２１と第２の固定部２２との間が第２の収容空間１５及び第３の収容空間１６の傾斜構造体１７に合わせて傾斜構造体２３が設けられ、前記固定支持部２０の第１の固定部２１が前記ニードルソケット１２の第３の収容空間１６に入り易くするようにし、前記固定支持部２０の第１の固定部２１が自然状態において拡開する構成であり、前記第２の固定部２２の底端に凹溝２４が形成され、この凹溝２４には前記金属ニードル３０の当接部３１が当接し、前記金属ニードル３０が前へ摺動しないようにする。また、前記ニードルソケット１２の傾斜構造体１７が前記固定支持部２０の第１の固定部２１が前記ニードルソケット１２の第３の収容空間１６内に収容されて拡開状態となるように導引する。前記金属ニードル３０の一端において当接部３１が固定支持部の第２の固定部２２に当接する。
【００３２】
前記第１の固定部２１の外径を前記ニードルソケット１２の第２の収容空間１５の内径より大きくし、前記第２の固定部２２の外径を前記ニードルソケット１２の第２の収容空間１５の内径より小さくすることで、前記固定支持部２０が前記第１の固定部２１により前記ニードルソケット１２内における第２の収容空間１５に緊密に収容され、前記第１の固定部２１が外力の押圧によって閉合状態となる。また、前記固定支持部２０の傾斜構造体２３は、前記第２の収容空間１５及び第３の収容空間１６の傾斜構造体１７に合わせて、前記固定支持部２０の第１の固定部２１が押圧される場合に、第３の収容空間１６に入り易く、前記第３の収容空間１６の内径を第１の固定部２１の外径より大きくすることで、前記第１の固定部２１が第３の収容空間１６に入る場合、外力の押圧を受けずに拡開状態となる。また、前記金属ニードル３０の外径をやや前記固定支持部２０の中空管状体の内径より大きくし、前記固定支持部２０及び外筒１０に塑性プラスチック材料を用いても良く、前記金属ニードル３０は前記ニードルソケット１２内第２の収容空間１２における前記固定支持部２０に緊密に挟まれるとともに、注射剤が前記固定支持部２０内または固定支持部２０とニードルソケット１２との間に浸入することを回避することができる。
【００３３】
プランジャー４０の先端に軟プラグ４１が備えられ、前記軟プラグ４１内に収容空間４５が形成され、前記収容空間４５に前記磁性部材４２が収容され、前記プランジャー本体４３は軸線方向に十字軸をなすリブ形状をしているが、これに限定されるものではない。また、前記プランジャー４０の端部における軟プラグ４１は微小突部４４として形成され、前記ニードルソケット１２の第２の収容空間１５に挟持される固定支持部２０を有効に押圧するように構成してもよい。
【００３４】
さらに、前記プランジャー４０（十字軸リブ）の一側に複数のフック４６が設けられ、前記複数のフック４６の分布が注射時の異なる注射剤量によって、異なる間隔長の箇所に複数のフック４６が設けられ、例えば、外筒筒体の目盛り５ｃｃ、１０ｃｃ、１５ｃｃ、２０ｃｃ等に基づき、十字軸リブの最先端におけるフック４６が５ｃｃの注射剤量に応じて構成されるフック４６であり、このように、前記十字軸リブに配列される第２のフック４６が１０ｃｃの注射剤量に応じて構成されるフック４６であり、前記フック４６が前記弾性部材１８への引っ掛けとして用いられる。また、前記フック４６の構成は、その先端がプランジャーの先端に向って傾斜状態となり、前記プランジャー４０が注射剤等を吸い込むときに前記外筒の開口位置に移動する場合、弾性部材１８に引っ掛けられ、前記プランジャー４０の動作への妨害となることはない。逆に前記プランジャー４０の注射等の際に前記外筒開口から離れる方向に移動する場合、前記プランジャー４０は前記フック４６により弾性部材１８に引っ掛けられることで、注射が終了する場合、前記弾性部材１８の弾性回復力によって前記プランジャー４０が自動的に後退する。
【００３５】
次に、図６を参照しながら図７を説明する。図７は、本発明に係る他の実施形態の安全注射器が注射剤を吸い取る場合の断面図を示す。本実施形態に係る安全注射器１が注射剤６０を吸い取る場合、まず前記プランジャー４０を第１の収容空間１４から離れる方向に引き抜くことで、外筒１０内が負圧となり、吸い取られる注射剤６０が前記外筒１０内に吸い込まれ、この場合前記固定支持部２０が前記ニードルソケット１２の第２の収容空間１５内に置かれ、前記金属ニードル３０が前記固定支持部２０の挟持によって前記固定支持部２０の上に確実に置かれる。
【００３６】
図８は、本発明に係る他の実施形態の安全注射器で注射する場合の断面図を示す。注射剤６０が入っていた外筒１０で注射を行う場合、前記プランジャー４０の角度の調整で、前記プランジャー４０のフック４６を具備する側が止めピース１３と直交するように形成され、注射剤量によってフック４６の位置を選択して、選択された前記プランジャー４０のフック４６が止めピース１３の弾性部材１８を引っ掛け、この場合前記プランジャー４０のフック４６を外筒筒体の目盛りに対して設ける場合、前記フック４６が弾性部材１８に引っ掛けられ、そして前記プランジャー４０を注射が完全に終了するまで徐々に押圧し、この場合、前記弾性部材１８が押圧を受けたため、弾力を生じ、かつ前記プランジャー４０がちょうど前記固定支持部２０の底端に前進し、注射動作が終了する。この場合前記固定支持部２０が前記ニードルソケット１２の第２の収容空間１５内に収容され、前記金属ニードル３０が前記固定支持部２０の挟持によって前記固定支持部２０の上に確実に固定される。
【００３７】
図９Ａ及び図９Ｂは、本発明に係る他の実施形態の安全注射器が金属ニードルを安全に後退させる平面図を示す。注射が終了した後、注射者が不注意でニードルに感染することを回避するように、まずちょうど固定支持部２０の底端に当接する前記プランジャー４０に力が付与され前へ押圧され、この場合前記固定支持部２０がプランジャー４０の微小突部４４により当接し、または前記固定支持部２０が外筒内部に僅かに突出し、前記固定支持部２０の第１の固定部２１が空間の大きい第３の収容空間１６に押圧されることで、第１の固定部２１が外力を受けずに拡開状態となり、この場合前記金属ニードル３０が前記第１の固定部２１の拡開で緩められる状態となり、この場合注射者が前記プランジャー４０に押圧する指を放すことで、前記弾性部材１８が解除されて弾性回復力が生じ、前記プランジャー４０が第１の収容空間１４から離れる方向に引っぱり戻すとともに、前記プランジャー４０の磁性部材４２が前記金属ニードル３０を引き付け、引き抜き方向に移動させ、前記金属ニードル３０が外筒１０内に回収され、金属ニードル３０が自動的に外筒１０内に後退し、安全に注射をすることができるといった効果を奏する。
【００３８】
上記のように、これらの実施の形態は本発明を例示する目的で示すものであり、本発明は、これらによって何ら限定されるものではない。本発明に係る実質的な技術内容は、特許請求の範囲に定義される。当業者は特許請求の範囲を逸脱しない範囲で本発明の種々の変更や変形が可能であり、こうした変更や変形は本発明の技術範囲に入るものである。
【図面の簡単な説明】
【００３９】
【図１】本発明に係る安全注射器の分解立体図である。
【図２】本発明に係る安全注射器の組立立体図である。
【図３】本発明に係る安全注射器の組立断面図である。
【図４】本発明に係る安全注射器の使用により注射剤を吸い取る場合の断面図である。
【図５Ａ】本発明に係る安全注射器が金属ニードルを安全に後退させる断面図である。
【図５Ｂ】本発明に係る安全注射器が金属ニードルを安全に後退させる断面図である。
【図６】本発明に係る他の実施形態の安全注射器の断面図である。
【図７】本発明に係る他の実施形態の安全注射器の使用により注射剤を吸い取る場合の断面図である。
【図８】本発明に係る他の実施形態の安全注射器で注射する場合の断面図である。
【図９Ａ】本発明に係る他の実施形態の安全注射器が金属ニードルを安全に後退させる断面図である。
【図９Ｂ】本発明に係る他の実施形態の安全注射器が金属ニードルを安全に後退させる断面図である。
【符号の説明】
【００４０】
１  安全注射器
１０  外筒
１１  外筒本体
１２  ニードルソケット
１３  止めピース
１４  第１の収容空間
１５  第２の収容空間
１６  第３の収容空間
１７  傾斜構造体
１８  弾性部材
２０  固定支持部
２１  第１の固定部
２２  第２の固定部
２３  傾斜構造体
２４  凹溝
３０  金属ニードル
３１  当接部
４０  プランジャー
４１  軟プラグ
４２  磁性部材
４３  プランジャー本体
４４  僅かな突部
４５  収容空間
４６  フック
５０  キャップ
６０  注射剤
【図１】
2006305302.tif 000003
【図２】
2006305302.tif 000004
【図３】
2006305302.tif 000005
【図４】
2006305302.tif 000006
【図５Ａ】
2006305302.tif 000007
【図５Ｂ】
2006305302.tif 000008
【図６】
2006305302.tif 000009
【図７】
2006305302.tif 000010
【図８】
2006305302.tif 000011
【図９Ａ】
2006305302.tif 000012
【図９Ｂ】
2006305302.tif 000013